(57)【要約】【課題】ユニットの裏側にケーブルを配線するためのスペースを減少させる。【解決手段】ユニット１０、２０を複数個重ねて架に備える電子機器における前記ユニット１０、２０の奥壁として設けられるマザーボード１において、前記マザーボード１は、前記複数のユニット１０、２０に対して１枚設けられ、外面には、同一種のコネクタ２、３、４、５が１まとまりに配列されて設けられており、基板１１、１２に設けられるコネクタが前記マザーボード１の内面に挿入された場合に接続される所要ピン、前記外面に設けられたコネクタ４の所要ピンに接続して、前記基板間或いは前記基板と前記外面に設けられたコネクタとを接続する配線パターン６が設けられている。【選択図】　図１
2004140021.tif 000002
【特許請求の範囲】
【請求項１】
電子部品が搭載された基板を複数枚挿入して電子装置を構成する筐体からなるユニットを複数個重ねて架に備える電子機器における前記ユニットの奥壁として設けられるマザーボードにおいて、
前記マザーボードは、前記複数のユニットに対して１枚設けられ、
外面には、同一種のコネクタが１まとまりに配列されて設けられており、
前記基板に設けられるコネクタが前記マザーボードの内面に挿入された場合に接続される所要ピン、前記外面に設けられたコネクタの所要ピンに接続して、前記基板間或いは前記基板と前記外面に設けられたコネクタとを接続する配線パターンが設けられていることを特徴とする電子機器のマザーボード。
【請求項２】
同一種のコネクタが縦方向または横方向に整列されて設けられていることを特徴とする請求項１に記載の電子機器のマザーボード。
【請求項３】
配線パターンは、複数のユニットの基板間を接続するように設けられていることを特徴とする請求項１に記載の電子機器のマザーボード。
【発明の詳細な説明】
【０００１】
【発明の属する技術分野】
本発明は、筐体からなるユニットを複数個重ねて架に備える電子機器における上記ユニットの奥壁として設けられるマザーボードに関するものである。
【０００２】
【従来の技術】
従来のマザーボードは、図２に示されるように各ユニット毎に設けられている。ここでは、ユニット１１０と、これに重ねられたユニット１２０とを示す。ユニット１１０には、開口部側から電子部品が搭載された基板（実際には複数枚であるが、一枚を示す）１１１を挿入するように構成され、ユニット１２０には、開口部側から電子部品が搭載された基板（実際には複数枚であるが、一枚を示す）１２１を挿入するように構成されている。
【０００３】
ユニット１１０の奥壁としてマザーボード１１２が設けられており、ユニット１２０の奥壁としてマザーボード１２２が設けられている。基板１１１にはコネクタ１１３ａ、１１３ｂが設けられ、基板１２１にはコネクタ１２３ａ、１２３ｂが設けられており、これらのコネクタはマザーボードの内側面（ユニット１１０、１２０の筐体内側）に突出したピンに結合される。
【０００４】
マザーボード１１２、１２２の外面側には、各種コネクタが設けられている。このコネクタはそれぞれ対応して挿入されている基板の機能等に応じて、光（または同軸）コネクタ１３１、外線に接続されるケーブルコネクタ（またはユニット間を接続するケーブルコネクタ、電源ケーブルコネクタ）１３２が設けられている。
【０００５】
ユニット１１０とユニット１２０との間において配線を行う場合には、例えばそれぞれのマザーボード１１２、１２２の外面側に設けられたケーブルコネクタ１３２に配線ケーブル１３３を接続する。また、光（または同軸）コネクタ１３１には光ケーブルや同軸ケーブルが接続される。
【０００６】
【発明が解決しようとする課題】
従って、ケーブル（特に余長部分）をマザーボード１１２、１２２の外面側に近接して配置しておく必要があり、ユニット１１０、１２０の裏側（マザーボード１１２、１２２の外面側）に多くのスペースが必要となる問題点があった。
【０００７】
また、ケーブルの配線がマザーボード１１２、１２２の外面側に集中するため、配線作業の作業効率が悪くなるという問題点もあった。
【０００８】
本発明は上記のような従来の電子機器におけるマザーボードの問題点を解決せんとしてなされたもので、その目的は、ユニットの裏側（マザーボードの外面側）にケーブルを配線するためのスペースを減少させることができ、また、ケーブルの配線の場合に作業効率が低下しないように構成した電子機器のマザーボードを提供することである。
【０００９】
【課題を解決するための手段】
本発明に係る電子機器のマザーボードは、電子部品が搭載された基板を複数枚挿入して電子装置を構成する筐体からなるユニットを複数個重ねて架に備える電子機器における前記ユニットの奥壁として設けられるマザーボードにおいて、前記マザーボードは、前記複数のユニットに対して１枚設けられ、外面には、同一種のコネクタが１まとまりに配列されて設けられており、前記基板に設けられるコネクタが前記マザーボードの内面に挿入された場合に接続される所要ピン、前記外面に設けられたコネクタの所要ピンに接続して、前記基板間或いは前記基板と前記外面に設けられたコネクタとを接続する配線パターンが設けられていることを特徴とする。
【００１０】
本発明に係る電子機器のマザーボードは、同一種のコネクタが縦方向または横方向に整列されて設けられていることを特徴とする。
【００１１】
本発明に係る電子機器のマザーボードは、配線パターンは、複数のユニットの基板間を接続するように設けられていることを特徴とする。
【００１２】
【発明の実施の形態】
以下、添付図面を参照して、本発明に係る電子機器のマザーボードを説明する。図１に示される電子機器は、電子部品が搭載された基板１１、１２を複数枚挿入して電子装置を構成する筐体からなるユニット１０、２０を複数個（ここでは、２個）重ねて架に備える。
【００１３】
ユニット１０、２０の奥壁としてマザーボード１が設けられている。このマザーボード１は、複数のユニット１０、２０に対して１枚設けられる。上記のマザーボード１の外面には、同一種のコネクタが１まとまりに配列されて設けられている。
【００１４】
つまり、この図１の例では、マザーボード１の外面の最も上側には、光（または同軸）コネクタ２が横に２列に配置されており、その下側は各種ケーブルの余長領域や布線領域として利用可能なコネクタが設けられていない空き領域３とされている。同一種とは、接続されるケーブルの種類（光用、同軸用、信号用等）やピン数、形状、型などが一致していることを言う。
【００１５】
空き領域３の下側には一列に、外線ケーブルに接続するコネクタ４が配置されており、更にその下側には一列に、電源ケーブルに接続するコネクタ５が配置されている。
【００１６】
ユニット１０には、開口部側から電子部品が搭載された基板（実際には複数枚であるが、一枚を示す）１１を挿入するように構成され、ユニット２０には、開口部側から電子部品が搭載された基板（実際には複数枚であるが、一枚を示す）１２を挿入するように構成されている。
【００１７】
マザーボード１には、配線パターン６が設けられている。配線パターン６は、図示したものは１本であるが、マザーボード１に設けられている必要なコネクタ所要ピンの相互間を接続するように設けられ、また基板１１、１２に設けられているコネクタの所要ピンとマザーボード１に設けられている必要なコネクタ所要ピン間を接続するように設けられている。また、複数のユニット１０、２０の所要基板１１、１２間を接続するように設けられる。マザーボード１を多層基板により構成すると、配線パターン６を設けることが容易となる。
【００１８】
上記のように配線パターン６が設けられている結果、図２に示した従来例における配線ケーブル１３３が不要となり、空き領域３が生じている。この空き領域３には、光（または同軸）ケーブル７の余長部分や布線部分が配置される。
【００１９】
以上のように構成されている結果、同一種のコネクタに対する配線接続をまとまった領域において行うことができ、配線作業の効率化を図ることができる。また、空き領域３が生じるために、ここにケーブルの余長部分などを配置すれば良く、ユニット１０、２０の裏側（マザーボード１の外面側）に多くのスペースを必要としない利点がある。
【００２０】
なお、上記の実施例では、同一種のコネクタを横方向に並べて配置したが、縦方向に並べて配置しても良い。また、同一種のコネクタをまとめて配置すれば良く、必ずしも同一種のコネクタにて１列を占有する構成としなくとも良い。更に、重ねるユニットの数を３個以上としても良い。
【００２１】
【発明の効果】
以上説明したように本発明によれば、ケーブルに代えて配線パターンによりコネクタ間を接続するので、空き領域が生じ、光（または同軸）ケーブルの余長部分や布線部分を配置でき、ユニットの裏側（マザーボードの外面側）に多くのスペースを必要としない利点がある。また、上記構成によりユニットの裏側（マザーボードの外面側）がスッキリする上に、同一種のコネクタをまとめて配置しているので、配線作業の作業効率が向上する利点がある。
【図面の簡単な説明】
【図１】本発明おける電子機器のマザーボードの構成を示す斜視図。
【図２】従来の電子機器のマザーボードの構成を示す斜視図。
【符号の説明】
１　マザーボード
２　光（または同軸）コネクタ
３　空き領域
４、５　コネクタ
６　配線パターン
７　ケーブル
１０、２０　ユニット
１１、１２　基板
【図１】
2004140021.tif 000003
【図２】
2004140021.tif 000004